(57)【要約】      （修正有）【課題】移動通信端末によって情報を取得する方法、システム及びその移動通信端末を提供する。【解決手段】サーバはネットワークを介して、移動通信端末が送信した、品物情報及び・又は初期分析結果を含む情報を付けている分析請求を受信するステップと、該分析請求に付けている情報に基づいて分析を行って購入に関する参考情報を取得するステップと、該参考情報をネットワークを介して前記移動通信端末に伝送するステップとを備える。ユーザが移動通信端末によって品物情報を取得し、品物情報に対する分析により、ユーザに購入に関する広告情報等を取得させて、ユーザに便利を提供するとともに購入の資金を節約することができる。【選択図】図１
2009259251.tif 000002
【特許請求の範囲】
【請求項１】
移動通信端末によって情報を取得する方法であって、
サーバはネットワークを介して、移動通信端末が送信した、品物情報及び・又は初期分析結果を含む情報を付けている分析請求を受信するステップと、
該分析請求に付けている情報に基づいて分析を行って購入に関する参考情報を取得するステップと、
該参考情報をネットワークを介して前記移動通信端末に伝送するステップとを備えることを特徴とする方法。
【請求項２】
参考情報をネットワークを介して前記移動通信端末に伝送するステップの後、
前記移動通信端末は前記参考情報を受信するステップと、
前記参考情報を記憶又は表示するステップと、
をさらに備えることを特徴とする請求項１に記載の方法。
【請求項３】
前記サーバが移動通信端末から送信した分析請求を受信する前に、
前記移動通信端末が前記品物情報を取得するステップと、
前記品物情報を含む情報を付けている前記分析請求を前記サーバに送信するステップと、
をさらに備えることを特徴とする請求項１に記載の方法。
【請求項４】
前記サーバが移動通信端末から送信した分析請求を受信する前に、
前記移動通信端末が前記品物情報を取得するステップと、
前記品物情報について初期分析を行って初期分析結果を取得するステップと、
前記分析請求を前記サーバに送信するステップとをさらに備え、
前記分析請求に付けている情報は前記初期分析結果、又は前記品物情報と初期分析結果であることを特徴とする請求項１に記載の方法。
【請求項５】
前記移動通信端末が品物情報を取得するステップは、
前記移動通信端末が現在購入された品物について支払うステップと、
前記移動通信端末が購入された品物の品物情報を読み取るステップと、
を備えることを特徴とする請求項３または４に記載の方法。
【請求項６】
前記移動通信端末が品物情報を取得するステップは、
品物情報提供手段が前記品物の品物情報を取得するステップと、
取得された前記品物情報をネットワークを介して前記移動通信端末に伝送するステップと、
を備えることを特徴とする請求項３または４に記載の方法。
【請求項７】
前記移動通信端末が品物情報を取得する後に、
前記品物情報、初期分析結果を記憶するステップをさらに備えることを特徴とする請求項３又は４に記載の方法。
【請求項８】
前記移動通信端末が分析請求を送信する前に、
前記移動通信端末の現在の位置情報を取得するステップをさらに備え、
前記分析請求に付けている情報が前記現在の位置情報をさらに含み、
前記参考情報は現在の位置における一定範囲内の参考情報であることを特徴とする請求項３又は４に記載の方法。
【請求項９】
該分析請求に付けている情報に基づいて分析を行う前に、
分析請求の類型を判断するステップをさらに備え、
前記分析請求の類型には、現在品切れになる品物情報の分析、関連広告情報の分析、又は前記品物が食品の場合の該食品と関するメニュー情報の分析を含むことを特徴とする請求項１に記載の方法。
【請求項１０】
前記分析請求の類型は現在品切れになる品物情報の分析である場合に、前記分析請求に付けている情報に基づいて分析を行って参考情報を取得するステップは、
従来の購入された品物の品物情報における品物名称に基づいて、異なる品物について、該品物の購入頻度と購入するたびの数の変化を含む購入履歴を統計するステップと、
統計結果に基づいて現在購入する必要がある品物の情報を取得するステップと、
を備えることを特徴とする請求項９に記載の方法。
【請求項１１】
前記分析請求の類型は関連広告情報の分析である場合に、前記分析請求に付けている情報に基づいて分析を行って参考情報を取得するステップは、
前記品物情報における品物名称に基づいて該品物の特徴を抽出するステップと、
前記品物の特徴に基づいて関連広告情報を取得するステップと、
を含むことを特徴とする請求項９に記載の方法。
【請求項１２】
前記分析請求の類型は関連広告情報の分析である場合に、前記分析請求に付けている情報に基づいて分析を行って参考情報を取得するステップは、
前記品物情報における品物名称に基づいて該品物の特徴を抽出するステップと、
前記品物の特徴と従来の購入された品物の品物情報に基づいて前記移動通信端末のユーザの購入行為について分析を行うステップと、
分析結果に基づいて関連広告情報を取得するステップと、
を備えることを特徴とする請求項９に記載の方法。
【請求項１３】
前記分析請求の類型はメニュー情報の分析である場合に、前記分析請求に付けている情報に基づいて分析を行って参考情報を取得するステップは、
前記品物名称に基づいて該サーバに記憶しているメニュー情報を検索するステップと、
該品物を含むメニュー情報を捜索するステップと、
該品物の数に基づいて前記メニューについて選別を行って、該品物の数に応じるメニュー情報を取得するステップと、
を備えることを特徴とする請求項９に記載の方法。
【請求項１４】
前記サーバが参考情報を移動通信端末に伝送するステップの後、
現在と従来の購入された品物の品物情報を統計して、品物の販売量を取得するステップと、
参考のために統計結果を品物の仕入先に送信するステップと、
をさらに備えることを特徴とする請求項５に記載の方法。
【請求項１５】
前記移動通信端末が現在購入された品物について支払うステップの後、
前記移動通信端末は支払場所から現在購入された品物の電子領収書を取得するステップと、
前記移動通信端末は該電子領収書をサーバに伝送するステップと、
をさらに備えることを特徴とする請求項５に記載の方法。
【請求項１６】
前記分析請求に付けている情報には品物情報が含まれる際に、前記サーバにより該分析請求が受信されてから、更に前記サーバが前記品物情報を記憶するステップを備えることを特徴とする請求項１に記載の方法。
【請求項１７】
前記分析請求に付けている情報には品物情報が含まれる際に、前記サーバにより該分析請求が受信されてから、更に、
前記品物情報について分類し又は統計するステップと、
分類結果又は統計結果を記憶するステップと、
を備えることを特徴とする請求項１に記載の方法。
【請求項１８】
移動通信端末によって情報を取得するシステムであって、
ネットワークを介して前記移動通信端末が送信した分析請求を受信し、該分析請求に付けている情報に基づいて分析を行って購入に関する参考情報を取得し、且つネットワークを介して該参考情報を前記移動通信端末に伝送するサーバと、
品物情報を取得し、前記分析請求を前記サーバに送信し、且つ前記サーバから伝送された前記参考情報を受信する移動通信端末と、
を備えることを特徴とするシステム。
【請求項１９】
前記サーバは少なくとも、
前記移動通信端末が送信した分析請求を受信し、且つ第一情報分析手段が伝送した前記参考情報を受信し、ネットワークを介して該参考情報を前記移動通信端末に伝送する第一通信手段と、
前記第一通信手段が伝送した分析請求を受信し、該分析請求に付けている情報に基づいて分析を行って前記参考情報を取得し、前記参考情報を前記第一通信手段に伝送する、前記第一通信手段と接続する分析手段を備える第一情報分析手段と、
情報提供手段と、
を備えることを特徴とする請求項１８に記載のシステム。
【請求項２０】
前記第一情報分析手段は、前記第一通信手段が伝送した分析請求を受信し、該分析請求の類型を識別する、前記第一通信手段と前記分析手段と接続する判断手段をさらに備えることを特徴とする請求項１９に記載のシステム。
【請求項２１】
前記サーバは、前記第一情報分析手段に前記参考情報を提供する、前記第一情報分析手段と接続する参考情報提供手段をさらに備えることを特徴とする請求項１９に記載のシステム。
【請求項２２】
前記サーバは、前記分析請求に付けている情報又は前記参考情報を記憶する、前記第一通信手段及び第一情報分析手段と接続する記憶手段をさらに備えることを特徴とする請求項１９に記載のシステム。
【請求項２３】
前記分析請求に付けている情報には購入情報が含まれ、
前記サーバには、前記第一通信手段及び記憶手段と接続し、前記第一通信手段から伝送される分析請求を受信し、前記購入情報について分類し又は統計し、分析結果又は統計結果を前記記憶手段に伝送する処理手段を、更に備えることを特徴とする請求項２２に記載のシステム。
【請求項２４】
前記品物情報を取得し、且つ該移動通信端末が前記品物情報を取得するように、ネットワークを介して該品物情報を前記移動通信端末に伝送する第一品物情報提供手段を更に備えることを特徴とする請求項１８に記載のシステム。
【請求項２５】
前記品物情報を読み取り、且つネットワークを介して該品物情報を前記第一品物提供手段に伝送する品物情報読み取り手段を更に備えることを特徴とする請求項２４に記載のシステム。
【請求項２６】
前記移動通信端末は、
前記第一品物情報提供手段が伝送した品物情報を受信する通信手段と、
前記通信手段と接続し、前記品物情報を抽出し、前記品物情報を含む情報を付けている分析請求を前記通信手段に送信し、前記通信手段が伝送した前記参考情報を受信する情報分析手段とを備え、
前記通信手段は、前記情報分析手段から伝送された分析請求を受信し、ネットワークを介して該分析請求を前記サーバに伝送し、且つ前記サーバから伝送された前記参考情報を受信し、該参考情報を前記情報分析手段に伝送することを特徴とする請求項２４に記載のシステム。
【請求項２７】
前記第一品物情報提供手段は控除手段であり、
前記移動通信端末がスマートカードを含み、
前記スマートカードは購入された品物の料金を支払い、前記通信手段によって前記控除手段が伝送する品物情報を受信し、該品物情報を前記情報分析手段に伝送することを特徴とする請求項２６に記載のシステム。
【請求項２８】
前記品物情報を提供する第二品物情報提供手段を更に備えることを特徴とする請求項１８に記載のシステム。
【請求項２９】
前記移動通信端末は、
前記第二品物情報提供手段が提供する前記品物情報を読み取る情報取得手段と、
前記品物情報を抽出し、前記品物情報を含む情報を付けている分析請求を前記通信手段に送信し、前記通信手段が伝送した前記参考情報を受信する、前記情報取得手段と接続する情報分析手段と、
前記情報分析手段が伝送した分析請求を受信し、該分析請求をネットワークを介して前記サーバに伝送し、且つ前記サーバから伝送された前記参考情報を受信し、該参考情報を前記情報分析手段に伝送する、前記情報分析手段と接続する通信手段と、
を備えることを特徴とする請求項２８に記載のシステム。
【請求項３０】
前記情報分析手段は、
前記品物情報を抽出する情報抽出手段と、
前記情報抽出手段が伝送した前記品物情報を受信し、分析請求を前記通信手段に送信する、前記情報抽出手段と接続する請求送信手段と、
前記通信手段が伝送した前記参考情報を受信する受信手段と、
を備えることを特徴とする請求項２６または２９に記載のシステム。
【請求項３１】
前記情報分析手段は、
前記情報抽出手段が伝送した前記品物情報を受信し、該品物情報について初期分析を行い、初期分析結果を前記請求送信手段に送信する、前記情報抽出手段及び請求送信手段と接続する分析手段を更に備え、
前記請求送信手段は前記分析手段が伝送した前記初期分析結果を受信し、前記初期分析結果、又は前記品物情報と初期分析結果を含む情報を付けている分析請求を前記通信手段に送信することを特徴とする請求項３０に記載のシステム。
【請求項３２】
前記情報取得手段は前記品物情報を読み取る読み書き装置又はスキャン装置であることを特徴とする請求項２９に記載のシステム。
【請求項３３】
前記移動通信端末は、前記品物情報又は前記参考情報を記憶する、前記情報分析手段と接続する記憶手段をさらに備えることを特徴とする請求項２６または２９に記載のシステム。
【請求項３４】
前記移動通信端末は、前記移動通信端末の現在の位置情報を前記情報抽出手段に伝送する、前記情報抽出手段と接続する位置決め手段をさらに備え、
前記情報抽出手段は該位置情報を前記請求送信手段に伝送し、前記分析請求に前記位置情報も付けていることを特徴とする請求項２６または２９に記載のシステム。
【請求項３５】
品物情報を読み取る情報取得手段と、
前記品物情報を抽出し、前記品物情報を含む情報を付けている分析請求を前記通信手段に送信し、前記通信手段が伝送した前記参考情報を受信する、前記情報取得手段と接続する情報分析手段と、
前記情報分析手段が伝送した分析請求を受信し、該分析請求をネットワークを介して前記サーバに伝送し、且つ前記サーバから伝送された前記参考情報を受信し、該参考情報を前記情報分析手段に伝送する、前記情報分析手段と接続する通信手段と、
を含むことを特徴とする移動通信端末。
【請求項３６】
前記品物情報又は前記参考情報を記憶する、前記情報取得手段及び情報分析手段と接続する記憶手段をさらに備えることを特徴とする請求項３５に記載の移動通信端末。
【請求項３７】
前記情報分析手段は、
前記情報取得手段が伝送した品物情報を抽出する情報抽出手段と、
前記情報抽出手段が伝送した前記品物情報を受信し、分析請求を前記通信手段に送信する、前記情報抽出手段と接続する請求送信手段と、
前記通信手段が伝送した前記参考情報を受信する受信手段と、
を備えることを特徴とする請求項３５に記載の移動通信端末。
【請求項３８】
前記情報分析手段は、
前記情報抽出手段が伝送した前記品物情報を受信し、該品物情報について初期分析を行い、且つ初期分析結果を前記請求送信手段に送信する、前記情報抽出手段及び請求送信手段と接続する分析手段を更に備え、
前記請求送信手段は前記分析手段が伝送した前記初期分析結果を受信し、前記初期分析結果、又は前記品物情報と初期分析結果を含む情報を付けている分析請求を前記通信手段に送信することを特徴とする請求項３７に記載の移動通信端末。
【請求項３９】
前記移動通信端末の現在の位置情報を前記情報抽出手段に伝送する、前記情報抽出手段と接続する位置決め手段をさらに備え、
前記情報抽出手段は該位置情報を前記請求送信手段に伝送し、前記分析請求に前記位置情報も付けていることを特徴とする請求項３７に記載の移動通信端末。
【請求項４０】
前記情報取得手段は前記品物情報を読み取る読み書き装置又はスキャン装置であることを特徴とする請求項３５に記載の移動通信端末。
【請求項４１】
品物情報提供手段が伝送する品物情報を受信する通信手段と、
前記通信手段と接続し、前記品物情報を抽出し、前記品物情報を含む情報を付けている分析請求を前記通信手段に送信し、前記通信手段が伝送した前記参考情報を受信する情報分析手段とを備え、
前記通信手段は、前記情報分析手段から伝送された分析請求を受信し、ネットワークを介して該分析請求を前記サーバに伝送し、且つ前記サーバから伝送された前記参考情報を受信し、該参考情報を前記情報分析手段に伝送することを特徴とする移動通信端末。
【請求項４２】
前記品物情報提供手段は控除手段であると、該移動通信端末がスマートカードをさらに含み、
前記スマートカードは購入された品物の料金を支払い、前記通信手段によって前記控除手段が伝送する品物情報を受信し、該品物情報を前記情報分析手段に伝送することを特徴とする請求項４１に記載の移動通信端末。
【請求項４３】
移動通信端末によって情報を取得する方法であって、
移動通信端末が品物情報を取得するステップと、
前記移動通信端末は分析の類型に基づいて前記品物情報について分析を行って購入に関連する参考情報を取得するステップと、
を備えることを特徴とする方法。
【請求項４４】
前記品物情報を取得するステップの後、
前記品物情報を記憶するステップをさらに備えることを特徴とする請求項４３に記載の方法。
【請求項４５】
前記参考情報を取得するステップの後、
前記参考情報を表示又は記憶するステップをさらに備えることを特徴とする請求項４３に記載の方法。
【請求項４６】
前記分析の類型は現在品切れになる品物情報の分析である場合に、前記品物情報について分析を行って前記参考情報を取得するステップは、
従来の購入された品物の品物名称に基づいて、異なる品物について、該品物の購入頻度と購入するたびの数の変化を含む購入履歴を統計するステップと、
統計結果に基づいて現在購入する必要がある品物の情報を取得するステップと、
を備えることを特徴とする請求項４３に記載の方法。
【請求項４７】
前記分析の類型はメニュー情報の分析である場合に、前記品物情報について分析を行って前記参考情報を取得するステップは、
前記品物名称に基づいて該サーバに記憶しているメニュー情報を検索するステップと、
該品物を含むメニュー情報を捜索するステップと、
該品物の数に基づいて前記メニューに選別を行って該品物の数に応じるメニュー情報を取得するステップと、
を備えることを特徴とする請求項４３に記載の方法。
【請求項４８】
前記移動通信端末が前記品物情報を読み取ってから、更に
前記購入情報について分類し又は統計するステップと、
分類結果又は統計結果を記憶するステップと、
を備えることを特徴とする請求項４３に記載の方法。
【請求項４９】
前記移動通信端末が品物情報を取得するステップは、
前記移動通信端末が現在購入された品物について支払うステップと、
前記移動通信端末が購入された品物の品物情報を読み取るステップと、
を備えることを特徴とする請求項４０に記載の方法。
【請求項５０】
前記移動通信端末が品物情報を取得するステップは、
品物情報提供手段が前記品物の品物情報を取得するステップと、
取得された前記品物情報をネットワークを介して前記移動通信端末に伝送するステップと、
を備えることを特徴とする請求項４３に記載の方法。
【請求項５１】
移動通信端末によって情報を取得するシステムであって、
品物情報を取得し、分析の類型に基づいて前記品物情報について分析を行って購入に関する参考情報を取得する移動通信端末をさらに備えることを特徴とするシステム。
【請求項５２】
前記品物情報を読み取り、且つ該移動通信端末が前記品物情報を取得するように、ネットワークを介して該品物情報を前記移動通信端末に伝送する第一品物情報提供手段を更に備えることを特徴とする請求項５１に記載のシステム。
【請求項５３】
前記品物情報を読み取り、且つネットワークを介して該品物情報を前記第一品物提供手段に伝送する品物情報読み取り手段を更に備えることを特徴とする請求項５２に記載のシステム。
【請求項５４】
前記移動通信端末は、
前記第一品物情報提供手段がネットワークを介して伝送した品物情報を受信する通信手段と、
前記通信手段と接続し、前記品物情報を抽出し、分析の類型に基づいて該品物情報について分析を行って購入に関する参考情報を取得する情報分析手段とを備えることを特徴とする請求項５２に記載のシステム。
【請求項５５】
前記第一品物情報提供手段は控除手段であり、
前記移動通信端末がスマートカードをさらに含み、
前記スマートカードは購入された品物の料金を支払い、前記通信手段によって前記控除手段が伝送する品物情報を受信し、該品物情報を前記情報分析手段に伝送することを特徴とする請求項５４に記載のシステム。
【請求項５６】
前記移動通信端末に前記品物情報を提供する第二品物情報提供手段を更に備えることを特徴とする請求項５１に記載のシステム。
【請求項５７】
前記移動通信端末は、
前記第二品物情報提供手段が提供する品物情報を読み取る情報取得手段と、
前記品物情報を受信し、分析の類型に基づいて該品物情報について分析を行って購入に関する参考情報を取得する、前記情報取得手段と接続する情報分析手段と、
を備えることを特徴とする請求項５６に記載のシステム。
【請求項５８】
前記移動通信端末は、前記品物情報又は参考情報を記憶する記憶手段をさらに備えることを特徴とする請求項５４または５７に記載のシステム。
【請求項５９】
前記移動通信端末は、前記品物情報又は参考情報を表示する、前記情報分析手段と接続する表示手段をさらに備えることを特徴とする請求項５４または５７に記載のシステム。
【請求項６０】
前記移動通信端末は、取得された品物情報について分類し又は統計し、分類結果又は統計結果を前記記憶手段に伝送する処理手段を更に備えることを特徴とする請求項５４または５７に記載のシステム。
【請求項６１】
前記情報取得手段は前記品物情報を読み取る読み書き装置又はスキャン装置であることを特徴とする請求項５７に記載のシステム。
【請求項６２】
品物情報を取得する情報取得手段と、
前記品物情報を受信し、分析の類型に基づいて該品物情報について分析を行って購入に関する参考情報を取得する、前記情報取得手段と接続する情報分析手段と、
を備えることを特徴とする移動通信端末。
【請求項６３】
前記品物情報又は参考情報を記憶する、前記情報取得手段及び情報分析手段と接続する記憶手段をさらに備えることを特徴とする請求項６２に記載の移動通信端末。
【請求項６４】
前記品物情報又は参考情報を表示する、前記情報分析手段と接続する表示手段をさらに備えることを特徴とする請求項６２に記載の移動通信端末。
【請求項６５】
前記移動通信端末は、前記情報取得手段及び記憶手段と接続する処理手段を更に備え、
前記処理手段は、前記情報取得手段が読み取った購入情報を受信し、前記購入情報について分類し又は統計し、分類結果又は統計結果を前記記憶手段に伝送することを特徴とする請求項６３に記載の移動通信端末。
【請求項６６】
情報提供手段がネットワークを介して伝送した品物情報を受信する通信手段と、
前記通信手段と接続し、前記品物情報を抽出し、分析の類型に基づいて該品物情報について分析を行って購入に関する参考情報を取得する情報分析手段とを備えることを特徴とする移動通信端末。
【請求項６７】
前記品物情報提供手段は控除手段であり、
前記移動通信端末がスマートカードをさらに含み、
前記スマートカードは購入された品物の料金を支払い、前記通信手段によって前記控除手段が伝送する品物情報を受信し、該品物情報を前記情報分析手段に伝送することを特徴とする請求項６６に記載の移動通信端末。
【請求項６８】
移動通信端末によって情報を取得する方法であって、
サーバはネットワークを介して、品物情報及び移動通信端末識別を受信するステップと、
該品物情報と予め記憶された該移動通信端末識別が対応する領収書に基づいて分析を行って、該移動通信端末のユーザの購入する必要がある品物の情報を取得するステップと、
ネットワークを介して、該移動通信端末のユーザの購入する必要がある品物の情報を前記移動通信端末に伝送するチップとを備えることを特徴とする方法。
【請求項６９】
移動通信端末によって情報を取得するシステムであって、
移動通信端末識別を情報提供手段に提供する移動通信端末と、
品物情報と移動通信端末識別を取得し、且つ該品物情報と該移動通信端末識別を伝送する情報提供手段と、
ネットワークを介して前記情報提供手段が伝送する品物情報及び移動通信端末識別を受信し、該品物情報と予め記憶された該移動通信端末識別が対応する領収書に基づいて分析を行って、該移動通信端末のユーザの購入する必要がある品物の情報を取得し、ネットワークを介して該移動通信端末のユーザの購入する必要がある品物の情報を伝送するサーバを備え、
前記移動通信端末は、前記サーバから伝送された該移動通信端末のユーザの購入する必要がある品物の情報の受信に更に用いられることを特徴とするシステム。
【発明の詳細な説明】
【技術分野】
【０００１】
本発明は、移動通信端末によって情報を取得する方法に関し、特に移動通信端末によって情報を取得する方法、システム及びその移動通信端末に関するものである。
【背景技術】
【０００２】
現在、移動通信端末は通話機能を有する以外に、写真を撮り、電子メールをやり取り、音楽を聴き、テレビ番組を見るというような他方の機能も有する。最近、通信事業者はさらに電子マネー機能を移動通信端末に取り入れて、こうすると、移動通信端末ユーザは、このような移動通信端末によって支払機能を実現することができる。例えば、移動通信端末ユーザは、その移動通信端末によって自動販売機から飲み物を購入し、コンビニで消費し、入場券を買ってクラブと映画館に入り、又は該移動通信端末によって鉄道の交通費を支払うことができる。
【０００３】
通常、移動通信端末に、専用の非接触式スマートカードチップを取り付け、支払場所に、支払機能を支持する移動通信端末の控除システムを取り付ける。支払機能を有する移動通信端末を使うと、まず、ユーザは、インタネット又はコンビニを介して非接触式スマートカードチップが取り付けられた移動通信端末にバウチャーする。ユーザが消費するたびに、支払場所の控除システムは移動通信端末ディテクターによって、移動通信端末をスキャンし、消費金額が自動的に非接触式スマートカードチップによって移動通信端末から控除され、移動通信端末ユーザは、その移動通信端末によって支払い過程を実現することができる。
【０００４】
移動通信端末によって購入をするシステムにおいて、ユーザはまず、支払制御サーバに自分の移動通信端末番号を登録し、消費するたびに、支払場所のディテクターは、ユーザ移動通信端末に内蔵された非接触式スマートカードチップを読み取ることにより、相応な情報を取得し、支払制御サーバにより消費ユーザの端末番号がチェックされ、ユーザの番号がパスしたら、支払場所のディテクターは、移動通信端末に内蔵された非接触式スマートカードチップによってユーザの口座より相応な消費額を控除する。例えば、特許文献１の開示の内容を本件発明の従来技術として組み合わせる。
【０００５】
前記システムにおいて、移動通信端末の使用によって売り手に便利な確実且つ低い費率の支払い方式を提供することができるが、該システムは移動通信端末ユーザに価値がある情報を提供することができない。そして、口座の金額が不足する場合、該移動通信端末によって支払うことができない。
【０００６】
上記システムの不備を補うために、上記システムを基にして移動通信端末の支払機能と銀行支払機能とをバインディングする。このようなシステムにおいて、ユーザは、支払制御サーバに自分の携帯電話番号を登録する以外に、支払制御サーバに移動通信端末番号に関連する銀行口座番号も登録する必要がある。ユーザが移動通信端末によって消費するときに端末口座の消費金額が不足だと気がつくと、支払制御サーバは、関連する銀行口座番号から所定の点数を控除して不足の支払金額を補足する。例えば、特許文献２の開示の内容を本件発明の従来技術として組み合わせる。
【先行技術文献】
【特許文献】
【０００７】
【特許文献１】特開２００２−１７０００１号公報
【特許文献２】特開２００２−２９７９０２号公報
【発明の概要】
【発明が解決しようとする課題】
【０００８】
しかし、上記のシステムのいずれにしても同じような不備がある。即ち、上記システムは、消費金額に関する情報のみを処理するが、ユーザが実際に品物を購入する場合に所要の各種類の情報を疎かにしたので、ユーザの購入及び関連情報の取得に対していかなる役割を働いていない。
【０００９】
従来技術における前記問題を解決するために、本発明は、移動通信端末によって情報を取得する方法を提供することを１つの目的とする。該方法において、移動通信端末によって品物情報、移動通信ネットワーク及びサーバが十分に取得され、購入に関する情報をユーザに取得させ、時間を節約するとともに費用も低下することができる。
【００１０】
ネットワークサーバによって品物情報を分析してユーザに関連情報を提供する、移動通信端末によって情報を取得するシステムをさらに提供することを本発明の他方の目的とする。
【００１１】
移動通信ネットワークによって関連情報を取得可能で、移動通信端末の使用機能を増加した移動通信端末を提供することを本発明の他方の目的とする。
【００１２】
移動通信端末によって品物情報を分析してユーザに購入に関する情報等を取得させる、移動通信端末によって情報を取得する方法を提供することを本発明の他方の目的とする。
【００１３】
品物情報を分析してユーザに関連情報を提供する、移動通信端末によって情報を取得するシステムを提供することを本発明の他方の目的とする。
【００１４】
品物情報を分析してユーザに関連情報を取得させる、移動通信端末を提供することを本発明の他方の目的とする。
【課題を解決するための手段】
【００１５】
上記目的を達するように、本発明は移動通信端末によって情報を取得する方法を提供する。サーバはネットワークを介して、移動通信端末が送信した、品物情報及び・又は初期分析結果を含む情報を付けている分析請求を受信するステップと、
該分析請求に付けている情報に基づいて分析を行って購入に関する参考情報を取得するステップと、
該参考情報をネットワークを介して前記移動通信端末に伝送するステップとを備える。
【００１６】
上記目的を達するように、本発明は移動通信端末によって情報を取得するシステムをさらに提供する。ネットワークを介して前記移動通信端末が送信した分析請求を受信し、該分析請求に付けている情報に基づいて分析を行って購入に関する参考情報を取得し、且つネットワークを介して該参考情報を前記移動通信端末に伝送するサーバと、
品物情報を読み取り、前記分析請求を前記サーバに送信し、且つ前記サーバから伝送された前記参考情報を受信する移動通信端末と、
を備える。
【００１７】
上記目的を達するように、本発明は移動通信端末をさらに提供する。品物情報を読み取る情報取得手段と、
前記情報取得手段が伝送した品物情報を抽出し、分析請求を前記通信手段に送信し、前記通信手段が伝送した前記参考情報を受信する、前記情報取得手段と接続する情報分析手段と、
前記情報分析手段が伝送した分析請求を受信し、該分析請求をネットワークを介して前記サーバに伝送し、且つ前記サーバから伝送された前記参考情報を受信し、該参考情報を前記情報分析手段に伝送する、前記情報分析手段と接続する通信手段と、
を含む。
【００１８】
上記目的を達するように、本発明は移動通信端末をさらに提供する。品物情報提供手段が伝送する品物情報を受信する通信手段と、
前記通信手段と接続し、前記品物情報を抽出し、前記品物情報を含む情報を付けている分析請求を前記通信手段に送信し、前記通信手段が伝送した前記参考情報を受信する情報分析手段とを備え、
前記通信手段は、前記情報分析手段から伝送された分析請求を受信し、該分析請求をネットワークを介して前記サーバに伝送し、且つ前記サーバから伝送された前記参考情報を受信し、該参考情報を前記情報分析手段に伝送する。
【００１９】
上記目的を達するように、本発明は移動通信端末によって情報を取得する方法をさらに提供する。品物情報を読み取るステップと、
前記移動通信端末は前記品物情報について分析を行って購入に関連する参考情報を取得するステップと、
を備える。
【００２０】
上記目的を達するように、本発明は移動通信端末によって情報を取得するシステムをさらに提供する。品物情報を読み取り、且つ前記品物情報について分析を行って購入に関連する参考情報を取得する移動通信端末をさらに備える。
【００２１】
上記目的を達するように、本発明は移動通信端末をさらに提供する。品物情報を取得する情報取得手段と、
前記品物情報を受信し、該品物情報について分析を行って購入に関する参考情報を取得する、前記情報取得手段と接続する情報分析手段と、
を備える。
【００２２】
上記目的を達するように、本発明は移動通信端末をさらに提供する。情報提供手段がネットワークを介して伝送した品物情報を受信する通信手段と、
前記通信手段と接続し、前記品物情報を抽出し、分析の類型に基づいて該品物情報について分析を行って購入に関する参考情報を取得する情報分析手段とを備える。
【００２３】
上記目的を達するように、本発明は移動通信端末によって情報を取得する方法をさらに提供する。サーバはネットワークを介して、品物情報及び移動通信端末識別を受信するステップと、
該品物情報と予め記憶された該移動通信端末識別が対応する領収書に基づいて分析を行って、該移動通信端末のユーザの購入する必要がある品物の情報を取得するステップと、
ネットワークを介して、該移動通信端末のユーザの購入する必要がある品物の情報を前記移動通信端末に伝送するステップとを備える。
【００２４】
上記目的を達するように、本発明は移動通信端末によって情報を取得するシステムをさらに提供する。移動通信端末識別を情報提供手段に提供する移動通信端末と、
品物情報と移動通信端末識別を取得し、且つ該品物情報と該移動通信端末識別を伝送する情報提供手段と、
ネットワークを介して前記情報提供手段が伝送する品物情報及び移動通信端末識別を受信し、該品物情報と予め記憶された該移動通信端末識別が対応する領収書に基づいて分析を行って、該移動通信端末のユーザの購入する必要がある品物の情報を取得し、ネットワークを介して該移動通信端末のユーザの購入する必要がある品物の情報を伝送するサーバを備え、
前記移動通信端末は、前記サーバから伝送された該移動通信端末のユーザの購入する必要がある品物の情報を受信する。
【発明の効果】
【００２５】
本発明の実施例の有益な効果は、本発明によって、ユーザが移動通信端末によって購入する場合、品物情報を十分に利用し、品物情報を分析して、ユーザに購入に関する情報等を取得させて、ユーザに便利を提供すると共に、購入の資金を節約することができ、従来技術における不足を補う。
【図面の簡単な説明】
【００２６】
【図１】本発明にかかる移動通信端末によって情報を取得するシステム構造の模式図である。
【図２】図１におけるサーバの構造の模式図である。
【図３】図１における移動通信端末の構造の模式図である。
【図４】図３における情報分析手段の構造の模式図である。
【図５】図３における情報分析手段の構造の模式図である。
【図６】本発明にかかる実施の形態の情報取得方法のフローチャート１である。
【図７】本発明にかかる実施の形態の情報取得方法のフローチャート２である。
【図８】本発明にかかる実施の形態の情報取得方法のフローチャート３である。
【図９】本発明にかかる分析機能を有する移動通信端末の構造の模式図である。
【図１０】本発明にかかる移動通信端末によって情報を取得する方法フローチャートである。
【図１１】移動通信端末がサーバによってメニューを取得してユーザがメニューに応じて操作するフローチャートである。
【図１２】移動通信端末がサーバによって広告情報を取得するフローチャートである。
【図１３】移動通信端末によって電子領収書を取得する模式図である。
【図１４】分析機能を有する移動通信端末によって品切れになる品物情報を取得する模式図である。
【図１５】分析機能を有する移動通信端末によって品物管理をする模式図である。
【図１６】移動端末通信のユーザがネットワークを介して情報提供手段から品物情報を取得する模式図である。
【図１７】移動通信端末のユーザが予め記憶された領収書によって購入する必要がある品物の情報を取得する模式図である。
【発明を実施するための形態】
【００２７】
本発明の目的、技術案及びメリットをさらに明瞭にするために、以下に実施の形態及び図面を参照して、本発明を詳細に説明する。ここで、本発明の模式的な実施の形態及びその説明は、本発明を解釈するもので、本発明への限定ではない。
【００２８】
本発明は、移動通信端末によって情報を取得する方法、システム及びその移動通信端末を提供する。以下に図面を参照して、本発明の実施の形態を詳細に説明する。
【００２９】
（第１の実施形態）
本発明は、移動通信端末によって情報を取得するシステムを提供する。図１に示すように、該システムは、移動通信端末１０１とサーバ１０２を備え、移動通信端末１０１とサーバ１０２との間にネットワークを介して情報インタラクティブをする。
【００３０】
ここで、サーバ１０２は、ネットワークを介して移動通信端末１０１が送信した分析請求を受信し、該分析請求に付けている情報に基づいて分析を行って、購入に関する参考情報を取得し、且つネットワークを介して該参考情報を前記移動通信端末１０１に伝送する。
【００３１】
移動通信端末１０１は、品物情報を取得し、前記分析請求をサーバ１０２に送信し、且つサーバ１０２が伝送した参考情報を受信することにより、移動通信端末のユーザは、該参考情報に基づいて購入又は関連操作をする。
【００３２】
本実施の形態において、前記品物情報は品物名称と品物の数を含む。
【００３３】
また、該システムは、該移動通信端末１０１に品物情報を提供する品物情報提供手段１０３をさらに含む。ここで、該品物情報提供手段１０３は第一品物情報提供手段１０３ａであってもよく、例えば、該第一品物情報提供手段１０３ａは控除手段であってもよいが、移動通信端末１０１は支払機能を有する移動通信端末であってもよい。こういう場合、該控除手段は、移動通信端末１０１によって購入した品物の料金を控除して、且つ無線ネットワークを介して該移動通信端末１０１に購入した品物の品物情報を提供する。
【００３４】
また、該第一品物情報提供手段１０３ａは品物情報を提供するサーバである。移動端末１０１のユーザが品物を選択し又は購入する場合、商店内に設けられた読み書き装置又はスキャン装置によって、品物に置かれた識別に含まれる品物情報を読み取る。読取れた品物情報をネットワークを介してサーバに伝送してから、ネットワークを介して該品物情報を移動通信端末１０１に伝送することにより、該移動通信端末１０１は該品物情報を取得する。読み書き装置又はスキャン装置とサーバとの間のネットワークは、有線ＬＡＮ又はＷｉＦｉ無線ＬＡＮを用いることができる。サーバと移動端末１０１との間のネットワークは、ＷｉＦｉ無線ＬＡＮを用いることができる。本発明の他方の実施の形態において、該品物情報提供手段１０３は第二品物情報提供手段１０３ｂであってもよく、例えば、該第二品物情報提供手段は品物に設けられた品物情報を含む識別であってもよい。移動通信端末１０１は、品物情報を取得するように、該識別を直接読み取ることができる。ここで、該識別はＲＦＩＤ、２次元コードであってもよく、これに限られず、他の方式を採用可能である。
【００３５】
そのため、該システムは、該移動通信端末１０１、移動通信ネットワークとサーバ１０２によって品物情報について分析を行って、ユーザに購入に関する参考情報を提供し、ユーザが購入又は関連操作をすることに便利を図り、時間を節約するとともに資金を節約することができる。
【００３６】
図２は本発明にかかる実施の形態のサーバ１０２の構造の模式図である。図２に示すように、該サーバ１０２は少なくとも、
移動通信端末１０１が送信した分析請求を受信し、且つ第一情報分析手段２０１が伝送した参考情報を受信し、ネットワークを介して該参考情報を移動通信端末１０１に伝送する第一通信手段２０２と、
第一通信手段２０２が伝送した分析請求を受信し、該分析請求に付けている情報に基づいて分析を行って参考情報を取得し、該参考情報を第一通信手段２０２に伝送する、第一通信手段２０２と接続する分析手段を備える第一情報分析手段２０１と、
参考情報提供手段２０４と、
を備える。
【００３７】
また、該第一情報分析手段２０１は、分析請求の類型を識別する、第一通信手段２０２と分析手段に接続する判断手段をさらに備える。
【００３８】
図２に示すように、該サーバ１０２は、第一情報分析手段２０１に相応な参考情報を提供する、第一情報分析手段２０１と接続する参考情報提供手段２０４をさらに備える。
【００３９】
図２に示すように、該サーバ１０２は、第一通信手段２０２が送信した分析請求に付けている、品物情報を含む情報を受信し記憶可能で、第一通信手段２０２と接続する第一記憶手段２０３をさらに備えるとともに、第一情報分析手段２０１の参考情報を記憶することができる。
【００４０】
このようにして、第一情報分析手段２０１は、第一通信手段２０２が送信した情報について直接分析を行ってもよく、第一記憶手段２０３によって第一通信手段２０２が送信した情報を記憶してから、第一情報分析手段２０１によって該第一記憶手段２０３から情報を読み取り、分析を行ってもよい。
【００４１】
ここで、第一記憶手段２０３が記憶した品物情報は、品物名称と数を除き、購入時間、値段等の情報をさらに記憶することができる。サーバ１０２における参考情報提供手段２０４は、品物特徴又はメニュー情報、関連広告情報等のような分析に所要の情報及び相応な参考情報のぞれぞれを記憶するデータベースである。
【００４２】
また、該サーバ１０２は、第一通信手段２０２から伝送した分析請求に付けている品物情報を受信し、該品物情報について分類し又は統計し、分類結果又は統計結果を第一記憶手段２０３に記憶する、第一記憶手段２０３及び第一通信手段２０２と接続する処理手段（図に示さず）を、更に備える。
【００４３】
本実施の形態において、該品物情報について分類することは、品物名称に基づいて該品物情報について分類し、例えば、購入した品物名称がミルクの場合、その名称に基づいて該品物の種類が食品に属すると判断し、該分類の結果を第一記憶手段２０３のデータベースに記憶し、ユーザの検索に便利を図る。該データベースは品物管理明細書であってもよく、これに限られていない。
【００４４】
本実施の形態において、該品物情報について統計することは、品物情報における品物名称又は従来の品物情報を組み合わせることに基づいて購入された品物の数、頻度について統計してもよく、購入された品物の全般的な費用、購入場所等などの情報について統計し、統計結果を品物管理明細書に記憶してもよく、ユーザが纏めて管理することに便利を図る。
【００４５】
ここで、本実施の形態において、分析請求の類型には、現在品切れになる品物情報の分析、関連広告情報の分析、又は品物が食品の場合の該食品と関するメニュー情報の分析を含むが、上記の類型のみに限られず、実際のニーズに応じて他の類型を設置することもできる。サーバ１０２は実際の状況に応じて分析機能を設定し、又はユーザが参考するために実際のニーズに応じて参考情報を取得する。
【００４６】
その分、異なるサーバによって異なる分析請求を受信し、相応的な分析を行って、異なる参考情報を提供することができる。同一なサーバによって各種類の分析請求について分析を行って、こういう場合、該サーバは分析請求に付けている識別情報に基づいて種類毎の分析状況を区別し、各種類の分析請求について分析を行って、相応な参考情報を提供してもよい。
【００４７】
分析請求の類型により分かるように、購入に関する参考情報は、品物に関する広告情報（値段、販売場所、値引きするか等の情報）であってもよい。ユーザは、これらの参考情報に応じて購入する。例えば、サーバ１０２は、受信された現在品物情報と従来購入された品物の品物情報に基づいて移動通信端末１０１のユーザの購入習慣、例えば好みの品物のような購入行為を分析すると、該品物に関する広告情報を送信し、ユーザは該情報に基づいて購入する。このようにして、移動通信端末のユーザは、これらの広告情報に基づいて所要の値段がちょうどいい品物を購入し、時間を節約するとともに資金を節約することができる。
【００４８】
前記参考情報は、品物に関する他方の情報であってもよい。例えば、該品物は食品原料の場合、該参考情報は該食品原料に関するメニュー情報である。その場合、サーバ１０３は、該品物情報に基づいて分析を行った後、該品物に関するメニュー情報を取得し、ユーザはネットワークを介して該メニュー情報を取得し、該メニュー情報に基づいて購入された食品原料を加工する。
【００４９】
前記参考情報は、ユーザが現在品切れになる購入する必要がある品物であってもよい。例えば、サーバ１０３は、現在品物情報と従来購入された品物情報に基づいて分析を行って、現在品切れになる品物の情報を取得し、このようにしてユーザに所要の品物を直ちに購入することを提示してもよい。
【００５０】
図３は図１における移動通信端末の構造の模式図である。図３に示すように、該移動通信端末は、品物情報提供手段１０３が送信した品物情報を受信する通信手段３０３と、通信手段３０３が伝送した品物情報を受信し、分析請求を通信手段３０３に送信するとともに、該通信手段３０３が伝送した参考情報を受信する、通信手段３０３と接続する情報分析手段３０２とを備える。ここで、該分析請求に付けている情報は品物情報を含む。
【００５１】
通信手段３０３はさらに情報分析手段３０２が伝送した分析請求を受信し、該分析請求をネットワークを介してサーバ１０２に伝送し、サーバ１０２が伝送した参考情報を受信し、該参考情報を情報分析手段３０２に伝送する。
【００５２】
このようにして、該品物情報提供手段１０３は、第一品物情報提供手段１０３ａであり、例えば控除手段の場合、図３に示すように、該移動通信端末１０１は、通信手段３０３によって控除手段がネットワークを介して伝送した品物情報を受信し、該品物情報を情報分析手段３０２に送信するスマートカード３０１を備える。
【００５３】
また、該第一品物情報提供手段１０３ａは、さらに品物情報を提供するサーバである。移動端末１０１のユーザは、品物を選択し又は購入する場合、商店内に設けられた読み書き装置又はスキャン装置によって品物に設けられた識別に含まれる品物情報を読み取る。読取れた品物情報は、ネットワークを介してサーバに伝送してから、ネットワークを介して移動通信端末１０１の通信手段３０３に伝送し、該通信手段３０３によって該品物情報を受信した後、情報分析手段３０２に伝送する。
【００５４】
また、品物情報提供手段１０３は第二品物情報提供手段１０３ｂである。該第二品物情報提供手段１０３ｂが品物に設けられた品物情報を含む識別の場合、該移動通信端末は、品物情報を取得するように該識別を直接読み取ることができる。このようにして、図３に示すように、該移動通信端末は、情報取得手段と、通信手段３０３と、情報分析手段３０２とを備える。ここで、図３に示すように、該情報取得手段は、品物情報を読み取るためのリーダー３０１’又はスキャナー３０１”である。該情報取得手段は、品物情報を取得した後、該品物情報を情報分析手段３０２に伝送する。ここで、本実施の形態において、該品物情報を含む識別がＲＦＩＤの場合、該リーダー３０１’はＲＦＩＤリーダーであるが、該品物情報を含む識別が２次元コードの場合、該スキャナー３０１”は２次元コードスキャナーであるが、これらのみに限られず、実際のニーズに応じて相応なリーダー又はスキャナーを用いる。
【００５５】
前記移動通信端末１０１は、実際のニーズに応じて、情報を取得する任意に組み合わせられる異なる方式を用いる。
【００５６】
以下にて図面４、５を参照して情報分析手段３０２について説明する。
【００５７】
図４に示すように、情報分析手段３０２は、スマートカード３０１、又はリーダー３０１’、又はスキャナー３０１”、又は通信手段３０３と接続し、伝送された品物情報を抽出する情報抽出手段３０２ａと、情報抽出手段３０２ａと接続し、情報抽出手段３０２ａが伝送した品物情報を受信し、品物情報を含む分析請求を通信手段３０３に送信する請求送信手段３０２ｂと、通信手段３０３が伝送した参考情報を受信する受信手段３０２cを備る。
【００５８】
また、通信手段３０３は、さらに情報分析手段３０２が伝送した分析請求を受信し、該分析請求をネットワークを介してサーバ１０２に伝送し、サーバ１０２が伝送した参考情報を受信し、該参考情報を情報分析手段３０２に伝送する。
【００５９】
このようにして、該移動通信端末１０１は、分析請求をサーバ１０２に伝送する時、取得された品物情報をサーバ１０２に伝送し、サーバ１０２が複種類の状況について分析可能な場合、サーバ１０２は、移動通信端末ユーザに所要の参考情報を取得するように、該分析請求に付けている識別情報及び品物情報に基づいて相応な分析を行う必要がある。
【００６０】
図５に示すように、図５に示された情報分析手段３０２は、情報抽出手段３０２ａが伝送した品物情報を受信し、該品物情報について初期分析を行って、初期分析の結果を請求送信手段３０２ｂに送信する、情報抽出手段３０２ａと請求送信手段３０２ｂと接続する初期分析手段３０２dをさらに備える。こういう場合、分析請求に付けている情報は、初期分析結果、又は初期分析結果と品物情報であってもよい。
【００６１】
このようにして、該移動通信端末１０１は、分析請求をサーバ１０２に伝送する前に、受信された品物情報について初期分析を行って、サーバ１０２の作動負荷を低減することができる。
【００６２】
例えば、品物情報に基づいて品物の特徴を抽出し、例えば、品物が食品の場合、分析は該食品の営養含有量、バランス、ユーザ群等の特徴であり、そして、取得された初期分析結果、即ち品物特徴をサーバ１０２に伝送し、又は同時に品物情報をサーバ１０２に伝送する。
【００６３】
サーバ１０２は、移動通信端末ユーザに所要の参考情報を取得するように、該分析請求に付けている識別情報及び分析請求に付けている情報に基づいて相応な分析を行う。例えばサーバ１０２は、分析請求に付けている識別情報に基づいて該移動通信端末ユーザに所要の参考情報が広告情報だと察知すると、該サーバ１０２は、初期分析結果、例えば品物特徴、及び従来購入された品物の品物情報に基づいて、該移動通信端末ユーザの購入行為について分析を行う。例えばその好みの品物について分析し、分析結果に基づいて参考情報提供手段２０４より相応な品物の広告情報を検索する。
【００６４】
また、前記初期分析ステップはサーバ１０２によって完成される。
【００６５】
図３に示すように、該移動通信端末１０１は、品物情報、参考情報を記憶する、スマートカード３０１、リーダー３０１’又はスキャナー３０１”と情報分析手段３０２と接続する記憶手段３０４をさらに備える。品物情報を記憶手段３０４に記憶し、かつ該品物情報は品物名称と数を除き、購入時間、品物値段等の情報も含むため、ユーザが個人の品物を便利に管理する。
【００６６】
また、該記憶手段３０４は、該移動通信端末が初期分析するときに食品の営養含有量、バランス、ユーザ群等の品物特徴のような必要がある各種類の情報を記憶する。移動通信端末が初期分析を行うと、品物情報に基づいて該記憶手段３０４に記憶している情報から相応な品物特徴を見つけ、該品物特徴を初期分析請求に付いてサーバ１０２に伝送する。また、該移動通信端末１０１は、受信された参考情報を表示し、情報分析手段３０２によって記憶された品物情報及び参考情報を表示する、情報分析手段３０２と通信手段３０３と接続する表示手段３０６をさらに備える。
【００６７】
図３、４、５に示すように、該移動通信端末１０１は、該移動通信端末の現在の位置情報を情報抽出手段３０２ａに伝送する、情報分析手段３０２と接続する位置決め手段３０５をさらに備える。その時、情報抽出手段３０２ａは、該位置情報を請求送信手段３０２ｂに伝送し、こういう場合、前記分析請求には前記位置情報も付けている。
【００６８】
このようにして、分析請求は位置情報と品物情報を付け、分析請求は位置情報と初期分析結果を付け、又は品物情報、位置情報と初期分析結果を付けている。そのため、サーバは、品物情報、初期分析結果、位置情報に基づいて移動通信端末ユーザの現在の位置における一定範囲内の参考情報を取得し、ユーザに便利を図り、時間を節約した。
【００６９】
以下にて図面１-５を参照して該システムの作動フローについて説明する。
【００７０】
まず、移動通信端末１０１は、移動通信ネットワークを介して分析請求をサーバ１０２に送信する。
【００７１】
分析請求は品物情報のみを付けている場合、サーバ１０２は、品物情報に基づいて分析を行って、購入に関する参考情報を取得する。
【００７２】
サーバ１０２が初期分析結果に基づいてさらに分析を行って、サーバ１０２の作動負担を低下するように、分析請求は初期分析結果のみを付けていることもある。
【００７３】
サーバ１０２が品物情報と位置情報とに基づいて分析を行って、現在の移動通信端末の位置における一定範囲内の参考情報を取得するように、分析請求は品物情報と位置情報とを共に付けていることもある。
【００７４】
サーバ１０２が初期分析結果と位置情報とに基づいて分析を行って、現在の移動通信端末の位置における一定範囲内の参考情報を取得するように、分析請求は初期分析結果と位置情報とを共に付けていることもある。
【００７５】
移動通信端末１０１によって初期分析を行って、サーバ１０２が前記情報に基づいてさらに分析を行って、相応な参考情報を取得し、サーバ１０２の作動負担を低下するように、分析請求は品物情報と初期分析結果とを共に付けていることもある。
【００７６】
サーバが前記情報に基づいて分析を行って、相応な参考情報を取得するように、分析請求は品物情報と位置情報と初期分析結果とを共に付けていることもある。
【００７７】
そして、サーバ１０２は、取得された参考情報を移動通信端末１０１に伝送し、ユーザは、前記参考情報に基づいて購入又は関連操作を行う。
【００７８】
また、サーバ１０２は、ユーザが閲覧及びまとめて管理するように、受信された品物情報について分類し又は統計する。
【００７９】
実際の実施において、実際のニーズに応じて分析請求を送信し、移動通信端末のユーザが参考するために、サーバ１０２は、分析請求に付けている識別情報に基づいて相応な処理を行って、相応な参考情報を取得する。
【００８０】
上記の実施の形態において、品物情報提供手段１０３によって品物情報を取得可能である。取得フローは上記のようであり、ここで再び記載しない。また、移動通信端末１０１によって支払う場合、第一品物情報提供手段１０３ａである控除手段１０３は、従来技術におけるいずれかの控除システムであってもよく、ここで再び記載しない。移動通信端末１０１のスマートカードは非接触式スマートカードチップであってもよく、例えばソニーが生産したＦｅｌｉＣａチップは最も応用されている。このチップはディテクターを通る場合、自動的に信号を発信し、移動通信端末は、このような機能にて、支払いフローを実現し、購入された品物の品物情報を取得可能である。
【００８１】
上記の実施の形態より分かるように、移動通信端末によって品物情報提供手段１０３から取得された品物情報に基づいて、品物情報、及び／又は初期分析結果及び／又は位置情報について総合分析を行って、関連分析結果と関連情報を取得し、ユーザは、前記分析結果又は関連情報を参考して購入し又は関連操作を行う。時間を節約するとともに費用も節約でき、従来技術における不備を補った。
【００８２】
（第２の実施形態）
以下にて図１乃至５に示すシステムを例として、本発明の移動通信端末によって情報を取得する方法について詳細に説明する。
【００８３】
本発明は移動通信端末によって情報を取得する方法を提供する。図１に示すように、サーバ１０２はネットワークを介して、移動通信端末１０１が送信した、少なくとも該移動通信端末１０１が取得した品物情報及び／又は初期分析結果が付けている分析請求を受信するステップと、該分析請求に付けている情報に基づいて分析を行って購入に関する参考情報を取得するステップと、ネットワークを介して該参考情報を移動通信端末１０１に伝送するステップと、を備える。そのため、移動通信端末のユーザは、該参考情報に基づいて購入し又は関連操作を行う。
【００８４】
上記の実施の形態より分かるように、該方法において、移動通信端末が取得した品物情報、移動通信ネットワーク及びサーバを十分に利用して、ユーザは、購入に関する参考情報を取得し、且つ前記参考情報に基づいて購入し又は関連操作を行って、ユーザが時間を節約すると共に費用を節約した。
【００８５】
本実施の形態において、該分析請求に付けている情報に基づいて分析を行うステップの前、分析請求の類型を判断するステップをさらに備える。ここで、分析請求の類型及び該類型に応じる参考情報は、実施の形態１に記載したようであり、ここで再び記載しない。
【００８６】
サーバ１０２が取得された参考情報をネットワークを介して移動通信端末１０１に伝送するステップの後、移動通信端末１０１は該参考情報を受信するステップと、該参考情報を記憶手段３０４に記憶するステップと、又は表示手段３０６で該参考情報を表示するステップと、をさらに備える。
【００８７】
本発明の一方の実施の形態において、サーバ１０２が移動通信端末１０１から送信した分析請求を受信するステップの前、移動通信端末１０１が前記品物情報を取得するステップと、前記品物情報である情報を付けている前記分析請求をサーバ１０２に送信するステップと、をさらに備える。
【００８８】
本発明の他方の実施の形態において、サーバ１０２が移動通信端末１０１から送信した分析請求を受信する前に、移動通信端末１０１が前記品物情報を取得するステップと、該品物情報について初期分析を行って初期分析結果を取得するステップと、該分析請求をサーバ１０２に送信するステップとをさらに備え、該分析請求に付けている情報は、初期分析結果、又は品物情報及び初期分析結果である。ここで、該初期分析結果は、購入された品物の品物特徴であり、例えば該品物が食品の場合、その特徴は、該食品の営養、均衡、ユーザ群等の情報である。
【００８９】
本発明の実施の形態において、移動通信端末１０１が品物情報を取得するステップは、品物情報提供手段１０３によって品物の品物情報を取得するステップと、取得された品物情報をネットワークを介して移動通信端末１０１に伝送するステップと、を備える。
【００９０】
ここで、該品物情報提供手段が控除手段の場合、品物情報提供手段によって前記品物の品物情報を取得する前記方法は、移動通信端末１０１が控除手段によって現在購入された品物について支払うステップと、該移動通信端末１０１がネットワークを介して購入された品物の品物情報を取得するステップと、を備える。移動通信端末１０１が品物情報を取得するステップの後、品物情報を記憶手段３０４に記憶するステップをさらに備える。こういう場合、品物情報は、品物名称、数及び値段等の情報を含む以外、品物特徴等の情報のような初期分析結果を記憶する。このようにして、移動通信において品物管理領収書が形成され、ユーザは、該品物領収書に基づいて個人の品物について管理を行う。
【００９１】
移動通信端末１０１が品物情報を取得したステップの後、移動通信端末１０１の現在の位置情報を取得するステップをさらに備え、分析請求が現在の位置情報を付けているが、サーバ１０２が伝送した参考情報は、現在の位置における一定範囲内の参考情報である。
【００９２】
また、サーバ１０２が分析請求を受信した後、該分析請求に品物情報を含むと、該サーバ１０２は、該品物情報について分類し又は統計し、分類結果又は統計結果を記憶する。分類又は統計フローは実施の形態１に記載したように、ここで再び記載しない。
【００９３】
本発明の実施の形態において、分析請求に付けている情報は、実施の形態１におけるいずれかであってもよく、実施の形態１に記載したように、ここで再び記載しない。
【００９４】
移動通信端末のユーザは、実際のニーズに応じて任意請求を提出することができ、サーバ１０２は、該請求に基づいて分析を行って、相応な参考情報を取得する。例えば、移動通信端末のユーザは、現在品切れになる品物情報、関連広告情報又は食品に関するメニュー情報等を了解しようとするとき、同一なサーバ１０２によってそれぞれ異なる分析請求について分析を行う場合、該サーバ１０２は、分析請求に付けている識別情報に基づいてそれぞれの請求を区別し、相応的な分析を行って、相応な参考情報を取得する。例えば、該参考情報は、現在品切れになる品物情報、関連広告情報、又は購入された品物が食品の場合における該食品に関するメニュー情報である。
【００９５】
以下にて図６-８を組み合わせて関連広告情報を取得する方法について詳細に説明する。
【００９６】
図６−８は本発明にかかる実施の形態の情報取得方法のフローチャートである。
【００９７】
図６に示すように、本実施の形態において、品物情報を取得するステップ６０１は、以下の三種類の方式を採用可能である。
【００９８】
第一の種類は、品物情報提供手段１０３は第一品物情報提供手段１０３ａ、例えば控除システムの場合である。
【００９９】
移動通信端末１０１が控除手段によって購入された品物費用を支払った後、該控除手段は、ネットワークを介して購入した品物の品物情報を、ネットワークを介して移動通信端末１０１に伝送し、移動通信端末１０１におけるスマートカード３０１は、通信手段３０３によって品物名称と数を少なくとも含む品物情報を読み取る。
【０１００】
第二の種類は、品物情報提供手段１０３は第二品物情報提供手段１０３ｂ、例えば品物に設けられた品物情報を含む識別の場合である。
【０１０１】
移動通信端末１０２は、リーダー３０１’又はスキャナー３０２”によって該識別における品物情報を読み取る。
【０１０２】
第三の種類は、該品物情報提供手段１０３は第一品物情報提供手段、例えばサーバの場合である。
【０１０３】
まず、デパート内の読み書き装置又はスキャン装置によって品物に設けられた識別に含まれる品物情報を読み取り、該読み書き装置又はスキャン装置は取得された品物情報をネットワークを介して該サーバに伝送し、該サーバはＷｉＦｉ方式によって移動通信端末１０１に伝送する。
【０１０４】
ステップ６０２、読取れた品物情報を記憶手段３０４に記憶し、このようにして、移動通信端末１０１において品物管理領収書を形成し、ユーザが個人の品物を管理することに便利を図る。その時、該品物情報は購入時間、値段等の情報を含んでも良い。
【０１０５】
ステップ６０３、情報分析手段３０２は記憶手段３０４より相応な品物情報を読み取る。
【０１０６】
ステップ６０４、６０５、該移動通信端末に初期分析を行うか否かを判断し、行うと判断すると、情報分析手段３０２は該品物情報について初期分析を行って、初期分析結果を取得する。
【０１０７】
本実施の形態において、該初期分析結果は該品物の類型、用途等のような品物特徴の場合、初期分析をするのは以下の方式を採用可能である。品物名称に基づいて該移動通信端末の記憶手段に記憶している情報から該品物の特徴を抽出し、品物特徴を取得する。
【０１０８】
また、該初期分析結果が該移動通信端末のユーザが興味を持っている品物の場合、初期分析をするのは以下の方式を採用可能である。品物名称に基づいて該移動通信端末の記憶手段に記憶している情報から該品物の特徴を抽出し、品物特徴を取得する。品物名称と従来購入された品物の品物情報に基づいて移動通信端末のユーザの購入行為について分析を行って、該ユーザが興味を持っている品物を検索する。ここで、該ユーザの購入行為について分析を行うとは、該ユーザによるある特徴を有する品物への一定時間内の購入次回を統計してユーザの購入興味を判断し、購入次回が所定値を超えると、該ユーザが該品物について興味を持っていると分かる。
【０１０９】
ステップ６０６、初期分析が終了した後、サーバ１０２に現在の移動通信端末１０１の位置情報を提供する必要があるかをさらに判断し、判断結果が現在の位置情報が必要があると、ステップ６０８を実行する。
【０１１０】
ステップ６０８、情報分析手段３０２は位置決め手段３０５より該移動通信端末のユーザの現在の位置情報を読み取る。
【０１１１】
ステップ６０９、情報分析手段３０２は通信手段３０３によってサーバ１０２に品物情報、初期分析結果、位置情報及びその識別情報を付けている分析請求を送信し、サーバ１０２が分析請求の類型を判断する。
【０１１２】
サーバ１０２が前記分析請求を受信した後、図７に示すように、以下のステップを含む。
【０１１３】
ステップ７０１、第一情報分析手段２０１は第一通信手段２０２によって分析請求を受信する。
【０１１４】
ステップ７０２、分析請求に付けている識別情報に基づいて分析請求の類型を判断し、本実施の形態においては広告情報を取得する。
【０１１５】
ステップ７０３、該分析請求の類型が正しいかをさらに判断し、正しくないと判断すると、終了するが、正しいと判断すると、ステップ７０４を実行する。
【０１１６】
ステップ７０４、該分析請求に付けている品物情報を読み取る。
【０１１７】
ステップ７０５、該品物情報を記憶するかを判定し、記憶すると判定すると、該品物情報を第一記憶手段２０３（ステップ７１１を参照）に記憶する。また、該サーバ１０２は該品物情報について分類し又は統計し、分類結果又は統計結果を記憶する。その分類又は統計フローは、実施の形態１に記載したようであり、ここで再び記載しない。
【０１１８】
ステップ７０６、ステップ７０５において判断結果が品物情報を記憶しなく、又はステップ７１１の後であると、該分析請求に付けている初期分析結果と位置情報を読み取る。
【０１１９】
ステップ７０７、品物情報、初期分析結果、位置情報に基づいて分析を行って、参考情報を取得する。ここで、初期分析結果が品物特徴の場合、該第一情報分析手段２０１は、初期分析結果に基づいて参考情報提供手段２０４のデータベースから該品物特徴に合っている情報を検索する。該品物特徴が服装の場合、参考情報提供手段２０４の広告データベースからこのような服装を販売するデパート、値段、又は値引きするか等のような相応な広告情報を検索する。
【０１２０】
初期分析結果はユーザが興味を持っている品物の場合、第一情報分析手段２０１は該初期分析結果に基づいて参考情報提供手段２０４のデータベースから該品物特徴に合っている情報を検索し、例えば、分析結果は該ユーザが不動産種類の雑誌に興味を持っている場合、該サーバ１０２は参考情報提供手段２０４の広告データベースから不動産種類の広告を検索する。
【０１２１】
初期分析結果に基づいて参考情報を取得した後、サーバ１０２は該移動通信端末のユーザの現在の位置情報に基づいて検索された広告情報から選別を行って、現在の位置の一定地理範囲内の広告情報を選出する。
【０１２２】
ステップ７０８、サーバ１０２は前記参考情報を記憶するかを判断し、記憶すると判断すると、ステップ７１０を実行し、該参考情報を第一記憶手段２０３に記憶する。
【０１２３】
ステップ７０９、ステップ７０８に前記参考情報を記憶しないと判定し、又はステップ７１０を実行した後であると、第一情報分析手段２０１は第一通信手段２０２によって前記参考情報を移動通信端末１０１に伝送する。
【０１２４】
移動通信端末のユーザは、前記参考情報に基づいて購入又は関連操作を行う。図８に示すように、以下のステップを採用可能である。
【０１２５】
ステップ８０１、移動通信端末１０１は、サーバ１０２が送信した参考情報を受信し、例えば該移動通信端末のユーザが興味を持っている品物の広告情報を受信する。
【０１２６】
ステップ８０２、８０３、該広告情報を表示するかを判定し、表示すると判定すると、該移動通信端末のユーザが参考するために該広告情報を移動通信端末１０１の表示手段３０６に表示する。
【０１２７】
ステップ８０４、ステップ８０３において表示しないと判定すると、該参考情報を記憶するかをさらに確認し、記憶しないと判定すると、そのフローを終了するが、記憶すると判定すると、ステップ８０５を実行する。
【０１２８】
ステップ８０５、ユーザが参考するために該参考情報を記憶手段３０４に記憶する。
【０１２９】
図６に示すように、ステップ６０６において現在の位置情報が必要ないと判定すると、ステップ６０７を実行する。即ち、情報分析手段３０２は、通信手段３０３によってサーバ１０２に品物情報と初期分析結果を付けているとともに該分析請求の識別情報も付けている分析請求を送信し、サーバ１０２は、分析請求の類型を確定する。
【０１３０】
こういう場合、ステップ７０７において、サーバ１０２は分析を行う時、該位置情報に基づいて検索された広告情報からさらに選別を行う必要はなく、移動通信端末１０１に送信する。
【０１３１】
図６に示すように、ステップ６０４において初期分析を行うかと判定した結果が、行わないと判定すると、ステップ６１０を実行する。
【０１３２】
ステップ６１０、６１１、現在の位置情報を提供する必要があるかを判断し、必要があると判定すると、情報分析手段３０２は、通信手段３０３によってサーバ１０２に品物情報と位置情報とを付けているとともに該分析請求の識別情報も付けている分析請求を送信し、サーバ１０２は分析請求の類型を確定する。
【０１３３】
こういう場合、サーバ１０２が分析請求を受信した後、図７に記載した場合と同じように、該分析請求に付けている識別情報に基づいて分析類型を判断した後、品物情報と位置情報とを読み取り、且つ品物情報と位置情報に基づいて分析を行って、参考情報を取得する。ここで、品物情報と位置情報とに基づいて分析を行うのは、以下の方式を採用可能である。
【０１３４】
第一情報分析手段２０１は、品物名称に基づいて該移動通信端末の記憶手段に記憶している情報から該品物の特徴を抽出し、品物の類型、用途等のような品物特徴を取得する。初期分析結果に基づいて参考情報提供手段２０４のデータベースから該品物特徴に合っている情報を検索する。該品物特徴が服装の場合、参考情報提供手段２０４の広告データベースからこのような服装を販売するデパート、値段、又は値引きするか等のような相応な広告情報を検索する。該移動通信端末のユーザの現在の位置情報に基づいて検索された広告情報からさらに選別を行って、現在の位置の一定地理範囲内の広告情報を選出する。
【０１３５】
また、品物情報と位置情報とに基づいて分析を行うのは、以下の方式を採用可能である。第一情報分析手段２０１は、品物名称に基づいて該移動通信端末の記憶手段に記憶している情報から該品物の特徴を抽出し、購入された品物類型、用途等のような品物特徴を取得し、品物名称と従来購入された品物の品物情報とに基づいて移動通信端末のユーザの購入行為について分析を行って、該ユーザが興味を持っている品物を検索する。ここで、該ユーザの購入行為について分析を行うとは、該ユーザによるある特徴を有する品物への一定時間内の購入次回を統計してユーザの購入興味を判断し、購入次回が所定値を超えると、該ユーザが該品物に対して興味を持っていることが分かり、第一情報分析手段２０１は該結果に基づいて参考情報提供手段２０４のデータベースから該品物に合っている関連情報を検索し、例えば、分析結果は該ユーザが不動産種類の雑誌に興味を持っていると、該サーバ１０２は参考情報提供手段２０４の広告データベースから不動産種類の広告を検索する。そして、該移動通信端末のユーザの現在の位置情報に基づいて検索された広告情報からさらに選別を行って、現在の位置の一定地理範囲内の広告情報を選出する。
【０１３６】
図６に示すように、ステップ６１０において、位置情報が必要がないと判断すると、ステップ６１２を実行し、情報分析手段３０２は、通信手段３０３によってサーバ１０２に品物情報を付けているとともに該分析請求の識別情報も付けている分析請求を送信し、サーバ１０２は分析請求の類型を確定する。
【０１３７】
こういう場合、サーバ１０２は分析請求を受信した後、図７に記載した場合と同じように、該分析請求に付けている識別情報に基づいて分析類型を判断した後、品物情報を読み取り、且つ品物情報に基づいて分析を行って、参考情報を取得する。ここで、品物情報に基づいて分析を行うフローは、前記場合と同じようであるが、位置情報に基づいて再び選別を行う必要はなく、参考情報を移動通信端末１０１に直接送信する。
【０１３８】
前記図６乃至図８に示すフローは、本発明の１つの実施の形態のみで、実際の実施において、当業者は実際のニーズに応じてそれぞれのステップについて調整又は補正することができる。
【０１３９】
移動通信端末のユーザは現在品物が品切れになる情報を取得する場合、以下の方式を採用可能である。
【０１４０】
移動通信端末１０１が品物情報を取得した後、該品物情報は少なくとも品物名称と数を含み、情報分析手段３０２は記憶手段３０４より相応な品物情報を読み取る。情報分析手段３０２は、通信手段３０３によってサーバ１０２に品物情報を付けているとともに該分析請求の識別情報も付けている分析請求を送信し、サーバ１０２は分析請求の類型を確定する。
【０１４１】
サーバ１０２が、該分析請求を受信して該分析の類型を判断した後、分析請求に付けている品物情報に基づいて分析を行って、現在品切れになる品物情報を取得するのは、以下のステップを採用可能である。
【０１４２】
従来購入された品物の品物情報の品物名称に基づき、異なる品物について、該品物の購入頻度と購入するたびの数の変化とを含む購入履歴を統計するステップと、統計結果に基づいて現在購入する必要がある品物の情報を取得するステップと、を備える。
【０１４３】
現在品切れになる品物情報を取得した後、該情報を移動通信端末１０１に送信し、該移動通信端末のユーザにより該情報が受信されてから、該情報が提示した内容に基づいて購入する。
【０１４４】
品物が食品の場合、該ユーザが該食品に関するメニュー情報を取得するのは、以下の方式を採用可能である。
【０１４５】
移動通信端末１０１が少なくとも品物名称と数とを含む品物情報を取得するステップと、情報分析手段３０２が記憶手段３０４から相応な品物情報を読み取るステップと、情報分析手段３０２が通信手段３０３によってサーバ１０２に分析請求を送信するステップと、を備え、サーバ１０２が分析請求の類型を確定するように、該分析請求は品物情報を付けているとともに該分析請求の識別情報も付けている。
【０１４６】
サーバ１０２が、該分析請求を受信して該分析の類型を判断した後、分析請求に付けている品物情報に基づいて分析を行って、メニュー情報を取得するのは、以下のステップを採用可能である。
【０１４７】
品物名称に基づいて該サーバ１０２に記憶しているメニュー情報を検索するステップと、該品物を含むメニュー情報を捜索するステップと、該品物の数に基づいて前記メニューについて選別を行って、該品物の数に応じるメニュー情報を取得するステップと、を備える。
【０１４８】
メニュー情報を取得した後、該情報を移動通信端末１０１に送信し、該移動通信端末のユーザにより該情報が受信されてから、該情報に提示した内容に基づいて操作を行う。
【０１４９】
また、図１に示されたシステムにおいて、サーバ１０２が品物情報を取得するステップの後、従来購入された品物の品物情報と現在の品物情報とを統計して、例えばある品物の販売量を統計し、参考のために該統計結果を品物の仕入先に送信してもよい。
【０１５０】
本発明の実施の形態において、品物情報提供手段１０３が控除手段の場合、移動通信端末１０１が現在購入された品物について支払うステップの後、移動通信端末１０１が購入された品物名称、数、値段及び購入場所等のような品物の品物情報を読み取るステップと、支払場所から現在購入された品物の電子領収書を取得するステップと、該移動通信端末１０１が該電子領収書を記憶／管理するようにサーバ１０２に伝送するステップと、をさらに備える。このようにして、電子領収書によって伝統的な紙領収書を取って代わり、紙の消耗を低減し、且つ電子領収書を保存することにより領収書の管理を簡素化し、該電子領収書をサーバ１０２に記憶することにより、ユーザがいつでもコンピューター、ＰＤＡを介して該領収書をブラウズする。
【０１５１】
上記により分かるように、移動通信端末によって品物情報を取得し、品物情報について分析を行うことにより、ユーザが購入に関する情報を取得する。ユーザに便利を図ると共に購入資金を節約でき、従来技術における不足を補った。
【０１５２】
（第３の実施形態）
本発明は、品物情報を読み取り、分析の類型に基づいて前記品物情報について分析を行って購入に関する参考情報を取得し、移動通信端末のユーザが該参考情報に基づいて購入又は関連操作を行う移動通信端末を含む、移動通信端末による購入システムをさらに提供する。
【０１５３】
実施の形態１と同じように、該システムは、品物情報を取得し、且つ該移動通信端末が前記品物情報を取得するように、ネットワークを介して該品物情報を移動通信端末に伝送する第一品物情報提供手段を更に備える。
【０１５４】
また、該システムは、品物情報を読み取り、且つネットワークを介して該品物情報を品物提供手段に伝送するリーダーとスキャナー等のような品物情報読み取り手段（図に示さず）を更に備える。
【０１５５】
このようにして、図９に示すように、該移動通信端末は、情報提供手段がネットワークを介して伝送した品物情報を受信する通信手段９０５と、通信手段９０５と接続し、品物情報を抽出し、分析の類型に基づいて該品物情報について分析を行って、購入に関する参考情報を取得する情報分析手段９０２とを備える。
【０１５６】
品物情報提供手段が控除手段の場合、該移動通信端末は、購入された品物の料金を支払い、通信手段９０５を介して控除手段が伝送する品物情報を受信し、該品物情報を情報分析手段９０２に伝送するスマートカード９０１をさらに含む。
【０１５７】
また、該システムは、第二品物情報提供手段を更に備える。実施の形態１と同じように、該第二情報提供手段は品物に設けられた識別である。
【０１５８】
図９は本発明にかかる実施の形態における移動通信端末の構造の模式図である。図９に示すように、該移動通信端末は、情報取得手段と、情報分析手段９０２とを備え、前記情報取得手段は異なる情報提供手段によって異なり、マートカード９０１、又はリーダー９０１’又はスキャナー９０１”である。ここで、本実施の形態において、該品物情報を含む識別がＲＦＩＤの場合、該リーダー９０１’はＲＦＩＤリーダーであり、該品物情報を含む識別が２次元コードの場合、該スキャナー９０１”が２次元コードスキャナーであるが、これのみに限られず、実際のニーズに応じて相応なリーダー又はスキャナーを採用してもよい。
【０１５９】
ここで、情報取得手段は品物情報を読み取る。
【０１６０】
情報取得手段と接続する情報分析手段９０２は、品物情報を受信し、分析の類型に基づいて該品物情報について分析を行って、購入に関する参考情報を取得する。
【０１６１】
図９に示すように、該移動通信端末は、ユーザが個人の品物を便利に管理するように、該品物情報を記憶する記憶手段９０３をさらに備える。そして、該記憶手段９０３は分析結果をさらに記憶する。
【０１６２】
また、該移動通信端末は、移動通信端末のユーザが閲覧又はまとめて管理するように、品物情報を読み取り、該品物情報について分類し又は統計し、分類結果又は統計結果を記憶手段９０３に伝送する処理手段（図に示さず）を更に備える。その分類又は統計のフローは、実施の形態１に記載したように、ここで再び記載しない。
【０１６３】
図９に示すように、該移動通信端末は、参考情報を表示する、情報分析手段９０２と接続する表示手段９０４をさらに備える。このようにして、移動通信端末のユーザは、表示された参考情報に基づいて購入する。
【０１６４】
前記分析の類型と参考情報とは、実施の形態１に記載されたので、ここで再び記載しない。このようにして、移動通信端末に前記参考情報を提供するように関連データベースが必要がある。
【０１６５】
前記実施の形態より分かるように、移動通信端末のユーザが参考情報に基づいて購入と関連操作を行うように、単なる移動通信端末のみによって品物情報について分析を行って、参考情報を取得する。
【０１６６】
（第４の実施形態）
以下にて前記実施の形態３のシステムを例として、本発明の移動通信端末によって情報を取得する方法について説明する。
【０１６７】
図１０は本発明にかかる移動通信端末によって情報を取得する方法フローチャートである。図１０に示すように、以下のステップを採用可能である。
【０１６８】
まず、品物情報を取得するのは、三種類の方式を採用可能である。該三種類の方式は実施の形態２と同じように、ここで再び記載しない（ステップ１００１を参照）。そして、品物情報を記憶手段１００３（ステップ１００２を参照）に記憶し、情報分析手段９０２が記憶手段９０３より相応な品物情報を読み取り、且つ分析類型に基づいて分析を行い（ステップ１００３、１００４を参照）、分析が終了した後、移動通信端末は分析結果をユーザに表示する必要があるかを判断し（ステップ１００５を参照）、ステップ１００５において分析結果を表示する必要があると判断すると、分析結果を表示手段１００４に伝送し（ステップ１００６を参照）、ステップ１００５において分析結果を表示しないと判断すると、分析結果を記憶する必要があるかと判断し（ステップ１００７を参照）、ステップ１００７において記憶する必要があると判断すると、分析結果を記憶手段９０３に書き込み（ステップ１００８を参照）、そうでないと、処理フローを終了する。
【０１６９】
また、品物情報を読み取った後、移動通信端末のユーザが閲覧とまとめて管理するように、処理手段に伝送し、該品物情報について分類し又は統計し、分類結果又は統計結果を記憶手段９０３に伝送する。
【０１７０】
前記実施の形態より分かるように、移動通信端末のユーザが分析結果に基づいて購入と関連操作を行うように、単なる移動通信端末のみによって品物情報について分析を行って、分析結果を取得する。
【０１７１】
以下にて具体的な例示を基にして本発明にかかる情報を取得する方法について説明する。
【０１７２】
図１に示すような情報取得システムを採用する場合、
図１１は移動通信端末がサーバによってメニューを取得して、ユーザがメニューに応じて操作するフローチャートである。図１１に示すように、移動通信端末のユーザは、移動通信端末１０１によって情報提供手段より品物情報を取得し、情報分析手段３０１は該品物情報について初歩処理を行って、該移動通信端末は、該品物がいくつかの食品原料であると発見し、ネットワークを介して分析請求をサーバ１０２に送信し、該分析請求は該品物情報と初期分析結果とを含み、即ち購入された品物が食品原料である。サーバ１０２が品物情報を取得した後、該分析請求に付けている情報について分析を行って、該食品原料に対応するメニューを取得し、該メニューをネットワークを介して移動通信端末１０１に送信し、移動通信端末１０１は該メニューを記憶手段３０４に記憶し、移動通信端末のユーザがいつでも使用できる。又は、移動通信端末１０１は、該メニューを表示手段３０６に表示し、移動通信端末のユーザは、表示されたメニューに基づいて食品原料を加工する。
【０１７３】
図１２は移動通信端末がサーバによって広告情報を取得するフローチャートである。図１２に示すように、移動通信端末のユーザは、移動通信端末１０１によって品物情報を取得し、移動通信端末１０１は、現在の品物情報及びユーザの現在の位置情報を含む分析請求をサーバ１０２に送信し、サーバ１０２はネットワークを介して、該分析請求を受信し、現在の品物情報に基づいて品物類型又は用途等のような品物特徴を取得し、且つ取得された品物特徴と従来の品物情報とに基づいてユーザの購入行為について分析を行って、該移動通信端末のユーザが興味を持っている品物を検索する。例えば、サーバ１０２は分析によって、該移動通信端末のユーザが不動産種類の雑誌の購入に興味を持っていると気づくと、該移動通信端末のユーザに不動産種類の広告を送信し、さらに、ユーザの現在の位置情報を取得することにより、サーバ１０２は移動通信端末にその現在の位置の一定地理範囲内の広告情報を選択的に送信し、移動通信端末１０１は関連広告情報を受信した後、関連広告情報を表示又は記憶し、ユーザがこれらの広告情報に基づいて購入し、時間を節約するとともに料金も節約することができる。
【０１７４】
図１３は移動通信端末によって電子領収書を取得する模式図である。図１３に示すように、移動通信端末のユーザは、移動通信端末１０１によって現在購入された品物の料金を支払い、支払場所より現在購入された電子領収書を取得し、移動通信端末１０１は、該電子領収書をサーバ１０２に伝送し、サーバ１０２は、便利に読み取りと管理するように、該電子領収書を記憶し、紙の消耗を効果的に低減した。
【０１７５】
また、電子領収書は、サーバ１０２によって移動通信端末１０１が送信した電子領収書を生成する請求に基づいて、品物名称、数、値段、購入場所等の情報を読み取ることにより、電子領収書を生成し記憶してもよい。
【０１７６】
単なる移動通信端末のみによって分析する場合、
図１４は分析機能を有する移動通信端末によって品切れになる品物情報を取得する模式図である。図９を参照して説明する。図９、１４に示すように、移動通信端末のユーザは、移動通信端末１０１によって品物情報を取得し、移動通信端末１０１の情報分析手段９０２は、該品物情報に基づいて分析を行って、分析フローは上記に記載したように、ここで再び記載しない。該移動通信端末のユーザの現在品切れになる品物の情報を取得した後、ユーザが該品切れになる品物の情報に基づいて購入するように、該情報を記憶手段９０３に記憶し、又は表示手段９０４に直接表示する。
【０１７７】
図１５は分析機能を有する移動通信端末によって品物管理をする模式図である。図９を参照して説明する。図９、１５に示すように、移動通信端末のユーザは、移動通信端末１０１によって現在購入された品物料金を支払った後、移動通信端末１０１のスマートカード９０１は品物情報を取得し、移動通信端末１０１の情報分析手段９０２は該品物情報を分類と統計した後、記憶手段９０３の品物名称、数、値段、購入場所等の情報を含む品物管理領収書に記憶し、移動通信端末のユーザがいつでも該品物管理領収書を閲覧できる。該品物管理領収書によって、移動通信端末のユーザは、個人の品物を便利に管理し、管理領収書に対する分類と取りまとめによって日常生活の消費状況を承知する。
【０１７８】
図１６は移動通信端末のユーザがネットワークを介してサーバのような情報提供手段より品物情報を取得する模式図である。図１６に示すように、移動通信端末のユーザが品物を購入して、デパート内に設けられたリーダー又はスキャナーに接近する場合、該リーダー又はスキャナーは、品物に設けられた識別に含まれる品物情報を読み取る。ここで、識別がＲＦＩＤの場合、リーダーを採用する一方、識別が２次元コードの場合、スキャナーを採用する。
【０１７９】
同時に、サーバは、異なる移動通信端末を分けるために、リーダー又はスキャナーが品物情報を読み取ると共に該端末ＩＤを読み取り、品物情報と該移動通信端末とが一々対応するように、移動通信端末に端末識別（ＩＤ）を設ける。
【０１８０】
リーダー又はスキャナーは、品物情報と端末ＩＤを取得した後、ネットワークを介して該品物情報と端末ＩＤとをサーバに伝送し、サーバが該品物情報と端末ＩＤとを取得した後、該端末ＩＤに基づいて、ＷｉＦｉのようなネットワークを介して、品物情報を該端末ＩＤに応じる移動通信端末に伝送する。
【０１８１】
図１７は移動通信端末のユーザが予め記憶された領収書によって購入する必要がある品物の情報を取得する模式図である。図１７に示すように、該システムは、移動通信端末識別を情報提供手段に提供する移動通信端末と、品物情報と移動通信端末識別とを取得し、品物情報と移動通信端末識別とを伝送する情報提供手段と、ネットワークを介して情報提供手段が伝送する品物情報及び移動通信端末識別を受信し、該品物情報と予め記憶された該移動通信端末識別が対応する領収書に基づき分析を行って、該移動通信端末のユーザの購入する必要がある品物の情報を取得し、ネットワークを介して該移動通信端末のユーザの購入する必要がある品物の情報を伝送するサーバと、を備え、
該移動通信端末は、サーバが伝送した該移動通信端末のユーザの購入する必要がある品物の情報の受信に更に用いられる。
【０１８２】
そのため、上記システムによって、移動通信端末のユーザは購入する必要がある品物の情報を取得する。
【０１８３】
以下にて附図１１を参照して情報を取得するフローについて説明する。
【０１８４】
まず、移動通信端末のユーザは、サーバに購入する必要がある品物の情報を含む領収書を予め記憶し、且つ異なる移動通信端末を分けるために移動通信端末に端末識別（ＩＤ）を予め設ける。
【０１８５】
該移動通信端末のユーザが購入する場合、該ユーザはある品物領域に接近し、その時、該品物領域の情報提供手段は、該品物領域の品物に設けられた識別と該移動通信端末の端末ＩＤを読み取る。ここで、品物識別は品物情報を含み、そして、ネットワークを介して該品物情報と端末ＩＤとをサーバに伝送する。
【０１８６】
品物識別がＲＦＩＤの場合、情報提供手段はリーダーを採用する一方、品物識別が２次元コードの場合、情報提供手段はスキャナーを採用する。
【０１８７】
該サーバは、ネットワークを介して品物情報と端末ＩＤとを受信した後、該品物情報と予め記憶された該端末ＩＤに応じる領収書とに基づき分析を行って、例えば、該品物が領収書に記憶されているかを判断し、記憶されていると判断すると、該品物は該移動通信端末のユーザの購入する必要がある品物であると判断し、すると、該サーバは、該移動通信端末のユーザが取得された情報に基づいて購入するように、端末ＩＤに基づいてネットワークを介して該移動通信端末のユーザの購入する必要がある品物の情報を相応な移動通信端末に伝送する。
【０１８８】
また、該移動通信端末のユーザはさらに、購入が終了した後、リーダー又はスキャナーによって購入された品物の品物情報と端末ＩＤを読み取り、リーダー又はスキャナーは、ネットワークを介して該品物情報と端末ＩＤとをサーバに伝送し、サーバは該端末ＩＤに応じる領収書に基づいて分析を行って、例えば、購入された品物の品物情報と領収書における品物情報とを対比し、該領収書における品物を全て購入するかを判断し、購入していない品物が存在すると、該移動通信端末のユーザが取得された情報に基づいて購入するように、該品物の情報を移動通信端末に伝送する。
【０１８９】
上記により分かるように、本発明によって、ユーザが移動通信端末によって品物情報を取得し、品物情報について分析を行って、ユーザが購入に関する情報を取得することができ、ユーザに便利を図ると共に、購入料金を節約することができ、従来技術における不足を補った。
【０１９０】
前記実施の形態において、広告情報、メニュー情報等の参考情報の取得を例として説明したが、これのみに限られず、この他のいずれかのユーザに所要の参考情報を取得可能で、サーバの分析フローは実際のニーズに応じて確定可能であるため、ここで再び記載しない。
【０１９１】
前記実施の形態に基づいて、本発明の目的、技術案及び有益な効果について更に詳細に説明した。前記記載はただ本発明の具体的な実施の形態だけで、本発明の特許請求の範囲を限定したものではなく、本発明の精神及び原則以内の何らの補正、同効差し替え、改良等はいずれも、本発明の特許請求の範囲に含まれている。
【図１】
2009259251.tif 000003
【図２】
2009259251.tif 000004
【図３】
2009259251.tif 000005
【図４】
2009259251.tif 000006
【図５】
2009259251.tif 000007
【図６】
2009259251.tif 000008
【図７】
2009259251.tif 000009
【図８】
2009259251.tif 000010
【図９】
2009259251.tif 000011
【図１０】
2009259251.tif 000012
【図１１】
2009259251.tif 000013
【図１２】
2009259251.tif 000014
【図１３】
2009259251.tif 000015
【図１４】
2009259251.tif 000016
【図１５】
2009259251.tif 000017
【図１６】
2009259251.tif 000018
【図１７】
2009259251.tif 000019